(57)【要約】【課題】係止部を設ける必要がなく、メッセージを覆った場合の立体感を出しながらデザイン性の自由度を確保して、メッセージを読むときも装飾機能を醸し出すことのできるメッセージカード及びメッセージカードの折り方法を提供する。【解決手段】本発明のメッセージカードＣは、外周面部２０は底面部１０と辺１１〜１５で谷折りに折り曲げられ、外周面部２０（２１〜２５）間であって切り込み部３０（３１〜３５）のない部分の谷折り部４１〜４５で折り曲げられ、山折り部２１ａ〜２５ａで外周面部２０を山折りされ、外周面部２０（２１〜２５）間であって谷折り部４１〜４５で折り曲げられた隣接する外周面部２０（２１〜２５）が重ねられて形成されている。【選択図】図３
2016153245.tif 000002
【特許請求の範囲】
【請求項１】
少なくとも外周に複数の辺を有する底面部と、
該底面部の辺を境界に連続して延出して形成され、前記底面部に対して谷折りで折り曲げられる外周面部と、
前記外周面部間に前記底面部の辺と辺との境界部に向け且つ該境界部に至らない範囲で形成された切り込み部と、
前記外周面部間であって前記境界部に至らない範囲の前記切り込み部のない部分において隣接する外周面部同士を谷折りで折り曲げる谷折り部と、
前記底面部の辺と辺との当接位置から辺に対して所定角度で前記外周面部に形成された前記外周面部を山折りに折り曲げる山折り部と、
を備えた、一枚のシートからなり、
前記外周面部が折り曲げられた際に隣接する外周面部の表面が対向した状態で重ね合されてなる、
ことを特徴とするメッセージカード。
【請求項２】
前記外周面部は同じ形状であることを特徴とする請求項１に記載のメッセージカード。
【請求項３】
前記外周面部間であって前記境界部に至らない範囲の前記切り込み部のない部分を谷折り部で折り曲げられた隣接する外周面部の重ね合わせは、外形輪郭線を同じに形成されていることを特徴とする請求項１又は２に記載のメッセージカード。
【請求項４】
前記底面部の辺の長さは、前記山折り部の長さ以下であることを特徴とする請求項１乃至３のいずれか一項に記載のメッセージカード。
【請求項５】
前記外周面部の両面には装飾用の花、写真、模様、彩色の少なくとも一つ以上を備えたことを特徴とする請求項１乃至４のいずれか一項に記載のメッセージカード。
【請求項６】
少なくとも外周に複数の辺を有する底面部と、
該底面部の辺を境界に連続して延出して形成された外周面部と、
前記外周面部間に前記底面部の辺と辺との境界部に向け且つ該境界部に至らない範囲で形成された切り込み部と、
を備えた、一枚のシートからなるメッセージカードの折り方法であって、
前記外周面部を前記底面部に対して谷折りで折り曲げる工程と、
前記外周面部間であって前記境界部に至らない範囲の前記切り込み部のない部分を谷折りで折り曲げる工程と、
前記底面部の辺と辺との当接位置から辺に対して所定角度で前記外周面部に形成された山折り部で前記外周面部を山折りで折り曲げる工程と、
前記外周面部間であって前記境界部に至らない範囲の前記切り込み部のない部分を谷折り部で折り曲げられた隣接する外周面部の表面を対向した状態で重ね合せる工程と、
を行うことを特徴とするメッセージカードの折り方法。
【発明の詳細な説明】
【技術分野】
【０００１】
本発明は、メッセージカード及びメッセージカードの折り方法に係り、特に一枚の折り畳まれたカードから構成されたメッセージカード及びそのメッセージカードの折り方法に関する。
【背景技術】
【０００２】
従来から、花やリボンなどの装飾機能とメッセージの機能を合わせ持つメッセージカードが知られている。
【０００３】
例えば、特許文献１には、シート状のベース本体と、該ベース本体の任意の辺から折り返し部を介して設けられた複数の可動片と、前記各可動片を係止する係止部分と、ベース本体あるいは可動片の少なくともどちらか一方に設けられたメッセージやイラスト等の記載部と、前記ベース本体を任意の包装物に取り付ける取付機構手段より構成され、前記記載部は各可動片を折り返した状態で可動片により隠れると共に、可動片を開いた状態で目視可能な位置に取付けられたものであり、ベース本体及び各可動片は各可動片を折り返した状態で花やリボン等の任意形状を形成したメッセージカードが開示されている。
【０００４】
また、特許文献１では、メッセージの記載部を隠すため付帯されている可動片が、折り返し部で容易に開閉できるよう、ベース本体の裏面にある接着層に厚みを設ける、または折り返し部に接近しない接着層を有した構成も開示されている。
【０００５】
より具体的には、プレゼント装飾に用いるようなリボンや花等を模したカード本体の中央部にメッセージを書き込める記載部を設け、可動片を折り返し部で折り、メッセージを書込んだ記載部が、容易に開いたりしないように係止部にて係止する構成よりなるものである。
【先行技術文献】
【特許文献】
【０００６】
【特許文献１】実用新案登録第３１５３２７６号公報
【発明の概要】
【発明が解決しようとする課題】
【０００７】
上記特許文献１では、単に可動片を折り返し部で折るだけであるため、メッセージを書込んだ記載部が、容易に開いたりしないように係止部を設ける必要があった。このように可動片に係止部を設けるため、デザイン性の自由度には制限があった。
【０００８】
また、可動片は、メッセージを書き込める記載部を覆うことを主眼としており、折り畳んだ状態で装飾形状を形成する機能を出すために形成されていたものであるが、立体感に欠けてしまうということがあった。また折り畳む前の装飾形状には、配慮が不足しており、メッセージを読むときの装飾機能が不足しているという不都合があった。
【０００９】
本発明は、かかる問題に鑑みてなされたものであり、その目的は、係止部を設ける必要がなく、メッセージを覆った場合の立体感を出しながらデザイン性の自由度を確保して、メッセージを読むときも装飾機能を醸し出すことのできるメッセージカード及びメッセージカードの折り方法を提供することにある。
【課題を解決するための手段】
【００１０】
上記課題は、本発明のメッセージカードによれば、少なくとも外周に複数の辺を有する底面部と、該底面部の辺を境界に連続して延出して形成され、前記底面部に対して谷折りで折り曲げられる外周面部と、前記外周面部間に前記底面部の辺と辺との境界部に向け且つ該境界部に至らない範囲で形成された切り込み部と、前記外周面部間であって前記境界部に至らない範囲の前記切り込み部のない部分において隣接する外周面部同士を谷折りで折り曲げる谷折り部と、前記底面部の辺と辺との当接位置から辺に対して所定角度で前記外周面部に形成された前記外周面部を山折りに折り曲げる山折り部と、を備えた、一枚のシートからなり、前記外周面部が折り曲げられた際に隣接する外周面部の表面が対向した状態で重ね合されてなる、ことにより解決される。
また、本発明のメッセージカードの折り方法によれば、少なくとも外周に複数の辺を有する底面部と、該底面部の辺を境界に連続して延出して形成された外周面部と、前記外周面部間に前記底面部の辺と辺との境界部に向け且つ該境界部に至らない範囲で形成された切り込み部と、を備えた、一枚のシートからなるメッセージカードの折り方法であって、前記外周面部を前記底面部に対して谷折りで折り曲げる工程と、前記外周面部間であって前記境界部に至らない範囲の前記切り込み部のない部分を谷折りで折り曲げる工程と、前記底面部の辺と辺との当接位置から辺に対して所定角度で前記外周面部に形成された山折り部で前記外周面部を山折りで折り曲げる工程と、前記外周面部間であって前記境界部に至らない範囲の前記切り込み部のない部分を谷折り部で折り曲げられた隣接する外周面部の表面を対向した状態で重ね合せる工程と、を行うことにより解決される。
【００１１】
このように、前記外周面部間であって前記境界部に至らない範囲の前記切り込み部のない部分を谷折り部で折り曲げられ、前記底面部の辺と辺との当接位置から辺に対して所定角度で前記外周面部に形成された山折り部で前記外周面部を山折りされているので、切り込み部のない部分を谷折り部と所定角度で前記外周面部に形成された山折り部によって、外周面部が付勢されて、常時においては、立体感を出しながら底面部を覆い隠すことができる。
そして、隣接する外周面部が重ねられた部分を外方向に引くことで覆っている外周面部を簡単に外して、底面部を露見させることが可能となる。
【００１２】
また、前記外周面部は同じ形状であると好適である。このように、外周面部を同じ形状にすると、外周面部を折り畳んだ時に重なる部分の外形が一致して、形状がコンパクトになると共に、覆いを解除しやすい。
【００１３】
更に、前記外周面部間であって前記境界部に至らない範囲の前記切り込み部のない部分を谷折り部で折り曲げられた隣接する外周面部の重ね合わせが、外形輪郭線を同じに形成されていると好適である。
このように隣接する外周面部の重ね合わせが外形輪郭線を同じにして構成すると、外形線が合わされて、同じ外形線となって、まとまりよくきれいにできて、意匠効果が良好となる。
【００１４】
また、前記辺の長さは、前記底面部の辺と辺との当接位置から辺に対して所定角度で前記外周面部に形成された山折り部の長さ以下に形成すると好適である。
このように構成すると、境界部に至らない範囲の前記切り込み部のない部分を谷折り部で折り曲げられていることと相俟って、外周面部の折り曲げ部が前記底面部より長いために、盛り上がるように構成できるので、三次元形状（立体的）にすることが確実にできるとともに、外周面部の付勢で、常時においては底面部を覆い隠すことができる。
【００１５】
さらに前記外周面部の両面には装飾用の花、写真、模様、彩色の少なくとも一つ以上が形成されていると好適である。
このように構成すると、外周面部で底面部（メッセージ部）を覆っているときには、外周面部の裏面の花、写真、模様、彩色が視認でき、開いたときには、外周面部の表面の花、写真、模様、彩色が視認できるので、メッセージを読むときも装飾機能を醸し出すことができる。
【発明の効果】
【００１６】
本発明によれば、外周面部が付勢されて、常時においては、立体感を出しながら底面部を覆い隠すことができ、隣接する外周面部が重ねられた部分を外方向に引くことで覆っている外周面部を簡単に外して、底面部を露見させることが可能となる。
また、形状がコンパクトになると共に、覆いを解除しやすく、外形線が合わされて、同じ外形線となって、まとまりよくきれいにでき、意匠効果が良好で、三次元形状（立体的）にすることが確実にできると共に、外周面部の付勢で、常時においては底面部を覆い隠すことができ、覆ったときと開いたときの装飾機能を十分に醸し出すことができる。
【図面の簡単な説明】
【００１７】
【図１】折り曲げる前の一枚のシートを示す説明図である。
【図２】折り畳む状態を示す説明図である。
【図３】折り畳む状態を示す説明図である。
【図４】折り畳む状態を示す説明図である。
【図５】折り畳む状態を示す説明図である。
【図６】折り畳んだ状態を示す斜視図である。
【図７】折り畳んだ状態を示す側面図である。
【発明を実施するための形態】
【００１８】
以下に、本発明のメッセージカードについて説明する。なお、以下に説明する部材やその構成等は、本発明を限定するものではなく、本発明の趣旨に沿って各種改変することができることは勿論である。
【００１９】
図は、本発明の一実施形態を示すものであり、図１は折り曲げる前の一枚のシートを示す説明図、図２乃至図５は折り畳む状態を示す説明図、図６は折り畳んだ状態を示す斜視図、図７は折り畳んだ状態を示す側面図である。なお図１乃至図３において、実線は谷折りを示し、破線は山折りを示すものである。
【００２０】
本発明のメッセージカードＣは、図１で示すように、一枚のシートからなるもので、底面部１０と、外周面部２０と、切り込み部３０と、から構成されている。
底面部１０はメッセージを記載することができるように平面状に形成されているもので、外周には複数の辺１１，１２，１３，１４，１５を有するように形成されている。この複数の辺１１〜１５は谷折り部を形成している。本実施形態では、５つの辺を備えた正五角形をしている。また本実施形態では底面部が白色で、記載されたメッセージを読みやすく形成されているが、記載した文字が認識できるものであれば、白色ではなく薄い彩色などが施されていてもよい。なお底面部の形状は、本実施形態のように五角形に限らず四角形以上の多角形、例えば六角形やそれ以上でもよい。
【００２１】
本実施形態の外周面部２０（２１，２２，２３，２４，２５）は、それぞれ上記底面部１０の辺（１１〜１５）を境界にして、外周側に連続して、延出して形成されているものである。外周面部２０（２１〜２５）の両面には装飾用の花、写真、模様、彩色の少なくとも一つ以上が形成されている。外周面部２０（２１〜２５）で底面部１０（メッセージ部）を覆っているときには、外周面部２０（２１〜２５）の裏面の花、写真、模様、彩色が視認でき、開いたときには、外周面部２０（２１〜２５）の表面の花、写真、模様、彩色が視認できるように構成されている。
【００２２】
本実施形態の外周面部２０では、外周が円形状のものとして、同じ形状で形成している。そして、外周面部２０（２１〜２５）には、底面部１０の隣接する辺と辺との当接位置（つまり、辺１１と辺１２との当接位置，辺１２と辺１３との当接位置，辺１３と辺１４との当接位置，辺１４と辺１５との当接位置，辺１５と辺１１との当接位置）から各辺１１〜１５に対して所定角度で山折り部２１ａ，２２ａ，２３ａ，２４ａ，２５ａが形成されている。
【００２３】
そして辺１１〜１５の長さは、外周面部２０に形成された山折り部２１ａ〜２５ａの長さ以下に形成している。換言すれば、山折り部２１ａ〜２５ａの長さは辺１１〜１５の長さと同等以上の長さとしている。これにより、折り畳んだ時に、立体形状としながらも、底面部１０を十分に覆うことが可能となる。
なお本実施形態では円形状にしているが、これに限らず外周が波形状にしたり、外周に矩形の凹凸を形成したりすることが可能である。
【００２４】
本実施形態の切り込み部３０（３１，３２，３３，３４，３５）は、図１で示すように、外周面部２０（２１〜２５）の間で、底面部１０の辺と辺との境界部に向け且つ前記境界部に至らない範囲（つまり、辺１１と辺１２との当接位置，辺１２と辺１３との当接位置，辺１３と辺１４との当接位置，辺１４と辺１５との当接位置，辺１５と辺１１との当接位置よりそれぞれ外周側の位置）で形成されている。
【００２５】
そして、外周面部２０の間であって境界部に至らない範囲の切り込み部３０のない部分には、谷折り部４１，４２，４３，４４，４５が形成されている。この谷折り部４１〜４５により立体形状が確保され、同時に外周面部２０（２１〜２５）を山折り部２１ａ〜２５ａで折り曲げたときに付勢力を与えるように構成される。
そして、この谷折り部４１，４２，４３，４４，４５で折り曲げられることにより、谷折り部４１，４２，４３，４４，４５を介して隣接する外周面部２０が重ねられて形成されている。
【００２６】
次に、図１と、図２乃至図５の折り畳む状態を示す説明図に基づいて、本発明の折り畳まれたメッセージカードＣについて説明する。図２は各山折り部及び谷折り部を少し折り曲げた状態の説明図であり、図３は折り曲げる途中の斜視図であり、図４は各山折り部及び谷折り部をより大きく折り曲げた状態の説明図であり、図５は完成間際の折り曲げ状態の説明図である。
【００２７】
先ず、図１及び既に説明した一枚のシートを折り畳むことで、メッセージカードが形成されるものである。各折り曲げは次のようにして行われる。
各外周面部２０（２１〜２５）は底面部１０と辺１１〜１５で谷折りに折り曲げられる。
隣接する各外周面部２０（２１〜２５）同士は、切り込み部３０（３１〜３５）のない部分の谷折り部４１〜４５を谷折りで折り曲げられる。
また各外周面部２０（２１〜２５）に形成された山折り部２１ａ〜２５ａを、山折りで折り曲げられる。
【００２８】
このように、図３、図４のように重ねるが、このとき、図５で示すように、谷折り部４１〜４５で折り曲げられた隣接する外周面部２０（２１〜２５）が重ねられて形成されている。
そして、図６及び図７で示すように、メッセージカードＣが三次元の立体的なものとして、形成される。
【符号の説明】
【００２９】
１０  底面部
１１，１２，１３，１４，１５  辺
２０（２１，２２，２３，２４，２５）  外周面部
２１ａ，２２ａ，２３ａ，２４ａ，２５ａ  山折り部
３０（３１，３２，３３，３４，３５）  切り込み部
４１，４２，４３，４４，４５  谷折り部
Ｃ  メッセージカード
【図１】
2016153245.tif 000003
【図２】
2016153245.tif 000004
【図３】
2016153245.tif 000005
【図４】
2016153245.tif 000006
【図５】
2016153245.tif 000007
【図６】
2016153245.tif 000008
【図７】
2016153245.tif 000009